【手続補正書】
【提出日】平成18年12月13日(2006.12.13)
【手続補正１】
【補正対象書類名】特許請求の範囲
【補正対象項目名】全文
【補正方法】変更
【補正の内容】
【特許請求の範囲】
【請求項１】
流体中に存在する標的物質を検出する装置であって、
標的物質を含む流体が通過する空部分と電磁波を透過する材質からなる固体部分とが規則配列し、電磁波に対する屈折率の周期分布をなす周期構造体と、
該周期構造体に電磁波を照射する手段と、
該周期構造体から出射される電磁波を測定し、その結果から屈折率の周期分布の変化を検出する手段と
を有することを特徴とする装置。
【請求項２】
前記屈折率の周期分布の変化を検出する手段が、標的物質と選択的に結合する結合物質が前記固体部分の表面に配置されており、標的物質が該結合物質と結合したことによる屈折率の周期分布の変化を検出する手段である請求項１に記載の装置。
【請求項３】
前記屈折率の周期分布により前記周期構造体を透過しない電磁波の波長帯が形成されている請求項１に記載の装置。
【請求項４】
前記電磁波を照射する手段が前記波長帯のバンド端近傍の波長の電磁波を照射し、前記検出手段が、前記周期構造体から出射される電磁波の強度を測定する請求項３に記載の装置。
【請求項５】
前記周期構造体が、空部分と固体部分の規則配列に欠陥を設けて前記波長帯中に電磁波の透過する波長域を形成した周期構造体であり、前記電磁波を照射する手段が該波長域の電磁波を該周期構造体に照射し、前記検出手段が該周期構造体から出射される該波長域の電磁波を測定する請求項３に記載の装置。
【請求項６】
前記周期構造体の温度を制御するための温度制御手段を更に有することを特徴とする請求項１記載の装置。
【請求項７】
前記電磁波が偏波を有し、該偏波を制御するための偏波制御手段を更に備えることを特徴とする請求項１記載の装置。
【請求項８】
前記周期構造体に照射される電磁波が連続する波長成分を持ち、前記検出手段が該周期構造体から出射される電磁波のスペクトルを測定する請求項１に記載の装置。
【請求項９】
前記電磁波を照射する手段が、コリメート手段を有し、該コリメート手段を経て、前記周期構造体に電磁波が照射され、前記検出手段が該電磁波の進行方向を測定する請求項１に記載の装置。
【請求項１０】
前記電磁波を照射する手段から照射される電磁波を前記周期構造体の所定位置に所定角度で入射するためのアライメント手段と、前記周期構造体から出射された電磁波を前記検出手段に導くためのアライメント手段とをさらに有する請求項１に記載の装置。
【請求項１１】
前記周期構造体の固体部分が柱状の構造体であり、空部分が各構造体間の間隙である請求項１に記載の装置。
【請求項１２】
前記周期構造体の固体部分が連続体であり、空部分が該連続体を貫通する孔である請求項１に記載の装置。
【請求項１３】
流体中の標的物質を検出する装置であって、
標的物質を含む流体を流すための流路と、
前記流路の少なくとも一部に配置され、標的物質を含む流体が通過する空部分と電磁波を透過する材質からなる固体部分とが規則配列し、電磁波に対する屈折率の周期分布をなす周期構造体と、
該周期構造体に電磁波を照射する手段と、
該周期構造体から出射される電磁波を測定し、その結果から屈折率の周期分布の変化を検出する手段と
を有することを特徴とする装置。
【請求項１４】
該周期構造体が流路に交差する方向に屈折率の周期分布を持ち、該方向に電磁波が照射される請求項１３に記載の装置。
【請求項１５】
該周期構造体が流路に平行な方向に屈折率の周期分布を持ち、該方向に電磁波が照射される請求項１３に記載の装置。
【請求項１６】
該周期構造体が固体部分である柱状の構造体を、間隙を空けて規則配置した２次元の周期構造体であり、周期構造の面が流路に平行に配置されている請求項１５に記載の装置。
【請求項１７】
該周期構造体が、固体部分である連続体と、該連続体を貫通する規則的に配列した孔とを有する２次元の周期構造体であり、孔が流路に平行に配置されている請求項１４に記載の装置。
【請求項１８】
流体中の複数の標的物質を検出する装置であって、
前記複数の標的物質を含む流体を流すための流路と、
前記流路の少なくとも一部に配置され、標的物質を含む流体が通過する空部分と電磁波を透過する材質からなる固体部分とが規則配列し、電磁波に対する屈折率の周期分布をなす複数の周期構造体と、
前記周期構造体に電磁波を照射するための電磁波照射手段と、
該周期構造体から出射される電磁波を測定し、その結果から屈折率の周期分布の変化を検出する手段と
を有することを特徴とする装置。
【請求項１９】
前記周期構造体の各々に、各周期構造体の屈折率の周期分布により前記周期構造体を透過しない電磁波の波長帯が形成されている請求項１８に記載の装置。
【請求項２０】
前記複数の周期構造体の各々の固体部分の表面には、標的物質と選択的に結合する結合物質が配置されてなり、かつ、これらの結合物質は各周期構造体ごとに異なり、各周期構造体ごとに異なる標的物質を捕捉可能であり、更に、前記屈折率の周期分布の変化を検出する手段が、各々の周期構造体において標的物質が結合物質と結合したことによる屈折率の周期分布の変化を、識別して検出する手段である請求項１８に記載の装置。
【請求項２１】
前記複数の周期構造体が流路に沿って直列に配置され、各々の周期構造体に流路に交差する方向の電磁波を照射する電磁波照射手段と、各々の周期構造体から出射される電磁波を検出する複数の検出部とが配されている請求項１９に記載の装置。
【請求項２２】
前記複数の周期構造体の構造及び寸法が同一であり、電磁波を照射する手段が、標的物質と結合する前記結合物質が前記固体部分の表面に配置された状態での各々の前記波長帯のバンド端近傍の波長の電磁波を照射する請求項２１に記載の装置。
【請求項２３】
前記複数の周期構造体の各々は、前記結合物質が設けられた状態での前記波長帯のバンド端波長が同じ周期構造体であり、前記電磁波を照射する手段が該波長帯のバンド端波長の電磁波を照射する請求項２２に記載の装置。
【請求項２４】
同一の電磁波源から出射された電磁波を各々の周期構造体に照射する電磁波の分岐手段を更に有する請求項２３に記載の装置。
【請求項２５】
前記複数の周期構造体が流路に沿って直列に配置され、該複数の周期構造体に流路に平行な方向の電磁波を照射する電磁波照射手段と、複数の周期構造体を逐次透過して出射される電磁波を検出するための検出部とが配されている請求項１９に記載の装置。
【請求項２６】
前記複数の周期構造体は、互いに重ならない前記波長帯を持ち、照射される電磁波が、該波長帯のバンド端の波長を可変範囲に含む波長可変の電磁波源から出射される請求項２５に記載の装置。
【請求項２７】
前記複数の周期構造体が流路に沿って並列に配置され、該周期構造体の並列配置方向の電磁波を該周期構造体に照射する電磁波照射手段と、該並列配置された複数の周期構造体を透過し出射される電磁波を検出するための検出部とが配されている請求項１９に記載の装置。
【請求項２８】
前記複数の周期構造体は、互いに重ならない前記波長帯を持ち、照射される電磁波が、該波長帯のバンド端の波長を可変範囲に含む波長可変の電磁波源から出射される請求項２７に記載の装置。
【請求項２９】
流体中に存在する標的物質を検出する装置であって、
標的物質を含む流体が通過する複数の孔と電磁波を透過する材質からなる固体部分とを含み、径方向に屈折率の分布をなす光ファイバと、
該光ファイバに電磁波を導入する手段と、
該光ファイバから径方向に出射される電磁波を測定し、該径方向の屈折率の変化を検出する手段と
を有することを特徴とする装置。
【請求項３０】
前記光ファイバ中には、複数の孔が規則配置され、ファイバの径方向に屈折率の周期構造をなすフォトニック結晶ファイバである請求項２９に記載の装置。
【請求項３１】
前記複数の孔の表面に、前記標的物質と選択的に結合する結合物質が担持されている請求項３０に記載の装置。
【手続補正２】
【補正対象書類名】明細書
【補正対象項目名】０００５
【補正方法】変更
【補正の内容】
【０００５】
本発明の第１は、流体中に存在する標的物質を検出する装置であって、
標的物質を含む流体が通過する空部分と電磁波を透過する材質からなる固体部分とが規則配列し、電磁波に対する屈折率の周期分布をなす周期構造体と、
該周期構造体に電磁波を照射する手段と、
該周期構造体から出射される電磁波を測定し、その結果から屈折率の周期分布の変化を検出する手段とを有することを特徴とする。
【手続補正３】
【補正対象書類名】明細書
【補正対象項目名】０００６
【補正方法】変更
【補正の内容】
【０００６】
本発明の第２は、流体中の標的物質を検出する装置であって、
標的物質を含む流体を流すための流路と、
前記流路の少なくとも一部に配置され、標的物質を含む流体が通過する空部分と電磁波を透過する材質からなる固体部分とが規則配列し、電磁波に対する屈折率の周期分布をなす周期構造体と、
該周期構造体に電磁波を照射する手段と、
該周期構造体から出射される電磁波を測定し、その結果から屈折率の周期分布の変化を検出する手段とを有することを特徴とする。
【手続補正４】
【補正対象書類名】明細書
【補正対象項目名】０００７
【補正方法】変更
【補正の内容】
【０００７】
さらに、本発明の第３は、流体中の標的物質を検出する装置であって、
標的物質を含む流体を流すための流路と、
前記流路の少なくとも一部に配置され、標的物質を含む流体が通過する空部分と電磁波を透過する材質からなる固体部分とが規則配列し、電磁波に対する屈折率の周期分布をなす周期構造体と、
該周期構造体に電磁波を照射する手段と、
該周期構造体から出射される電磁波を測定し、その結果から屈折率の周期分布の変化を検出する手段とを有することを特徴とする。